(57)【要約】【課題】マルチ吸盤装置を提供する。【解決手段】少なくとも２つの吸盤及び少なくとも１つの連通管を備え、それらの吸盤は、外側面から内側面まで延在貫通する貫通孔を含む。連通管は、それらの吸盤の貫通孔に連通する。それらの吸盤は、内側面を被吸着面に吸着することにより固定することが可能であり、該マルチ吸盤装置を被吸着面から取り外す場合は、それらの吸盤のいずれかの一部を持ち上げるだけで、外部の空気が連通管を介してそれらの吸盤に流れ、それらの吸盤が同時に離脱することが可能となる。【選択図】  図２
0003172047.tif 000002
【実用新案登録請求の範囲】
【請求項１】
互いに背中合わせの外側面及び被吸着面に吸着される吸着面として用いられる内側面を含み、さらに外側面から内側面まで延在貫通する貫通孔を含む少なくとも２つの吸盤と、
前記少なくとも２つの吸盤に接続することでそれらの吸盤の貫通孔に連通される連通管と、
を備えることを特徴とするマルチ吸盤装置。
【請求項２】
それらの吸盤は、中央部及び周辺を含み、前記周辺は、前記中央部へ向けて弧状に延在突出され、それらの吸盤の中央部の外側面から外部へ取り付け部が突出し、前記少なくとも１つの連通管に接続されることを特徴とする請求項１に記載のマルチ吸盤装置。
【請求項３】
折り曲げ可能なパッド条をさらに含み、前記パッド条の２つの側縁から複数のパッドブロックが延在し、それらのパッドブロックが前記少なくとも２つの吸盤のいずれかの外側面に結合されることを特徴とする請求項１に記載のマルチ吸盤装置。
【請求項４】
前記少なくとも１つの連通管は、複数の連通管を含み、前記それらの連通管は、２つの吸盤に接続され、前記パッド条上に接続管が設けられ、前記接続管がそれらの連通管に接続されることで前記複数の連通管が連通されることを特徴とする請求項３に記載のマルチ吸盤装置。
【考案の詳細な説明】
【技術分野】
【０００１】
本考案は、マルチ吸盤装置に関し、特に複数の位置決め用吸盤を有するマルチ吸盤装置に関するものである。
【背景技術】
【０００２】
一般に、吸盤は、ゴムから円盤状に形成され、一方の面が例えば壁面、テーブル面の被吸着面に吸着される吸着面となっている。使用する際に、吸盤の吸着面を被吸着面に向けるとともに吸盤の中央部を被吸着面に当接させることにより、吸着面と被吸着面との間がほぼ真空状態となり、吸盤を被吸着面に吸着することが可能となる。
【０００３】
吸盤を容易且つ速やかに被吸着面に吸着することができるため、複数の用具（例えばハンガー）は、通常、１つ又は複数の吸盤により被吸着面に固定される。しかしながら、複数の吸盤を被吸着面に吸着した後、それらの吸盤を被吸着面から取り外しようとする場合には、それらの吸盤を１つずつ取り外す必要があるため、ユーザに極めて不便である。
【考案の概要】
【０００４】
そこで、本考案は、上述した課題を解決するためのマルチ吸盤装置を提供することを目的とする。このマルチ吸盤装置は、少なくとも２つの吸盤を備え、それらの吸盤は、例えば壁面、テーブル面の被吸着面に吸着され、それらの吸盤が同時に離脱することが可能であるため、該マルチ吸盤装置を被吸着面から取り外すことができる。
【課題を解決するための手段】
【０００５】
本考案に係るマルチ吸盤装置は、少なくとも２つの吸盤及び少なくとも１つの連通管を備え、それらの吸盤は、外側面から内側面まで延在貫通する貫通孔を含む。連通管は、それらの吸盤の貫通孔に連通することで、それらの吸盤の貫通孔が外連通管に連通される。該マルチ吸盤装置は、それらの吸盤の内側面を被吸着面に吸着することにより固定することが可能であり、該マルチ吸盤装置を被吸着面から取り外す場合は、それらの吸盤のいずれかの一部を持ち上げるだけで、外部の空気が連通管を介してそれらの吸盤に流れるため、それらの吸盤が同時に離脱することが可能となる。
【考案の効果】
【０００６】
本考案に係るマルチ吸盤装置によれば、該マルチ吸盤装置を被吸着面から取り外す場合は、それらの吸盤のいずれかの一部を持ち上げるだけで、すべての吸盤が同時に離脱することが可能となるため、実施には極めて便利である。
【図面の簡単な説明】
【０００７】
【図１】本考案に係る第１の実施例のマルチ吸盤装置の立体図を示す。
【図２】図１のマルチ吸盤装置の断面図を示す。
【図３】図１のマルチ吸盤装置によるハンガーの立体図を示す。
【図４】本考案に係る他の実施例のマルチ吸盤装置の立体図を示す。
【図５】図４の５−５線に沿った断面図を示す。
【図６】図４のマルチ吸盤装置の一部の断面図を示す。
【考案を実施するための形態】
【０００８】
本考案の技術手段及び構造特徴に係る好ましい実施例を、図面に基づいて詳細に説明する。
【０００９】
図１及び図２は、本考案に係る第１の実施例のマルチ吸盤装置１０を示す。マルチ吸盤装置１０は、互いに隔てられた２つの吸盤１２ａ、１２ｂと、前記２つの吸盤１２ａ、１２ｂに接続された連通管１４とを含む。それらの吸盤は、硬質ゴム又は硬質合成樹脂から円盤状に製造される。それらの吸盤は、互いに背中合わせの内側面１６及び外側面１８を含み、内側面６は、例えば壁面、テーブル面の被吸着面に吸着される吸着面として用いられる。それらの吸盤は、中央部２０及び周辺２２をさらに含み、周辺２２は、中央部２０へ向けて弧状に延在突出され、内側面１６は、中央が隆起する弧面状に形成される。それらの吸盤の中央部２０の外側面１８から外部へ取り付け部が突出し、取り付け部２４内に外側面１８から内側面１６まで延在貫通する貫通孔２６が設けられている。
【００１０】
連通管１４は、第１の端２８及び第２の端３０を含み、第１の端２８は、吸盤１２ａの取り付け部２４に接続されることで、吸盤１２ａの貫通孔２６が連通管１４の管孔３２に連通される。第２の端３０は、吸盤１２ｂの取り付け部２４に接続されることで、吸盤１２ｂの貫通孔２６が連通管１４の管孔３２に連通され、これにより、２つの吸盤１２ａ、１２ｂの貫通孔２６が互いに連通される。この実施例において、連通管１４の第１の端２８及び第２の端３０は、それぞれ吸盤１２ａ、１２ｂの中央部２０と一体に結合される。本考案に係るマルチ吸盤装置１０は、２つ以上の吸盤をさらに含み、連通管１４は、それらの吸盤の貫通孔２６に連通されてもよい。
【００１１】
図３は、本考案に係るマルチ吸盤装置１０をハンガーとし、各吸盤の外側面１８は、例えば鍵等のような載置物３６が載置されるフック３４に結合される様子を示す。吸着を実施する際に、マルチ吸盤装置１０の各吸盤１２ａ、１２ｂの内側面１６を被吸着面（図示せず）に向けるとともに各吸盤の外側面１８の中央部２０を被吸着面に当接させることにより、内側面１６と被吸着面との間がほぼ真空状態となり、各吸盤１２ａ、１２ｂを被吸着面に吸着し固定することができる。一方、マルチ吸盤装置１０を被吸着面から取り外す場合は、いずれかの吸盤（例えば吸盤１２ａ）の周辺２２の一隅（図示せず）を持ち上げるだけで、外部の空気が吸盤１２ａの貫通孔２６及び連通管１４を介して他の吸盤（例えば吸盤１２ｂ）に流れ、吸盤１２ａ、１２ｂの吸着作用を同時に解除することができる。従って、マルチ吸盤装置１０を被吸着面から容易に取り外すことができる。
【００１２】
図４ないし図６は、本考案に係る第２の実施例のマルチ吸盤装置１０を示す。この実施例において、マルチ吸盤装置１０は、互いに隔てられた３つの吸盤１２ａ、互いに隔てられた３つの吸盤１２ｂ、及び３つの連通管１４を含む。上述のように、各連通管１４は、いずれかの吸盤１２ａ及び吸盤１２ｂに接続されることで、連通管１４によって接続された２つの吸盤１２ａ、１２ｂの貫通孔２６が互いに連通される。マルチ吸盤装置１０は、折り曲げ可能なパッド条３８をさらに含み、パッド条３８の２つの側縁から複数のパッドブロック４０が延在し、それらのパッドブロック４０が吸盤に対応する外側面１８に結合されることで、それらの吸盤１２ａ、１２ｂの内側面１６が被吸着面に吸着された後、パッド条３８及びパッドブロック４０に物品が載置されることが可能となる。即ち、ユーザは、パッド条３８を適当な外形に折り曲げ、吸盤１２ａ、１２ｂを被吸着面に吸着することにより、マルチ吸盤装置１０は、滑り止めパッド及び／又は断熱パッドとして用いられることが可能となる。さらに、パッド条４０の一方の表面に接続管４２が設けられ、接続管４２が各連通管１４に接続されることで、それらの連通管１４が連通され、これにより、それらの吸盤１２ａ、１２ｂの貫通孔２６が互いに連通される。従って、マルチ吸盤装置１０を被吸着面から取り外しようとする場合は、いずれかの吸盤の周辺２２の一部（図示せず）を持ち上げるだけで、外部の空気が連通管１４及び接続管４２を介してその他の吸盤に流れ、すべての吸盤の吸着作用を同時に解除することができる。ここで注意すべき点は、接続管４２に接続管４２の内部の管孔の開閉を制御するための制御バルブ（図示せず）を設けてもよいことである。
【００１３】
以上のように、本考案では、互いに背中合わせの外側面及び被吸着面に吸着される吸着面として用いられる内側面を含み、さらに外側面から内側面まで延在貫通する貫通孔を含む少なくとも２つの吸盤と、前記少なくとも２つの吸盤に接続することでそれらの吸盤の貫通孔に連通される連通管と、を備えることを特徴とするマルチ吸盤装置とするものである。
【００１４】
また、それらの吸盤は、中央部及び周辺を含み、前記周辺は、前記中央部へ向けて弧状に延在突出され、それらの吸盤の中央部の外側面から外部へ取り付け部が突出し、前記少なくとも１つの連通管に接続されるものとする。
【００１５】
また、折り曲げ可能なパッド条をさらに含み、前記パッド条の２つの側縁から複数のパッドブロックが延在し、それらのパッドブロックが前記少なくとも２つの吸盤のいずれかの外側面に結合されるものとする。
【００１６】
また、前記少なくとも１つの連通管は、複数の連通管を含み、前記それらの連通管は、２つの吸盤に接続され、前記パッド条上に接続管が設けられ、前記接続管がそれらの連通管に接続されることで前記複数の連通管が連通されるものとする。
【産業上の利用可能性】
【００１７】
本考案に係るマルチ吸盤装置によれば、該マルチ吸盤装置を被吸着面から取り外す場合は、それらの吸盤のいずれかの一部を持ち上げるだけで、すべての吸盤が同時に離脱することが可能となるため、実施には極めて便利である。
【符号の説明】
【００１８】
１０  マルチ吸盤装置
１２ａ  吸盤
１２ｂ  吸盤
１４  連通管
１６  内側面
１８  外側面
２０  中央部
２２  周辺
２４  取り付け部
２６  貫通孔
２８  第１の端
３０  第２の端
３２  管孔
３４  ハンガー
３６  載置物
３８  パッド条
４０  パッドブロック
４２  接続管
【図１】
0003172047.tif 000003
【図２】
0003172047.tif 000004
【図３】
0003172047.tif 000005
【図４】
0003172047.tif 000006
【図５】
0003172047.tif 000007
【図６】
0003172047.tif 000008